(57)【要約】      （修正有）【課題】小型化や低コスト化、安定した逆止め弁の作動を実現できる排水装置を提供する。【解決手段】設備機器である浴槽が載置された防水パン２と、排水器としての排水トラップ３から成る排水装置であって、排水トラップ３は浴槽側防水パン２１に取り付けられるエルボ部材４を有している。エルボ部材４は蓋部５によって覆われており、当該蓋部５は設備機器としての浴槽からの排水が流入する第一流入口Ａと、浴槽側防水パン２１からの排水が流入する第二流入口Ｂが開口されている。又、第二流入口Ｂにはゴムやシリコン等の弾性を有する軟質材から成る断面視略Ｔ字形状であって、排水流路内に固定される固定部６２と、固定部６２の周囲に形成された開閉部６３から成る弁体６１が取り付けられている。【選択図】図２
2020169494.tif 000002
【特許請求の範囲】
【請求項１】
設備機器又は防水パンから流入した排水を下流側へと排出する流入口が形成された排水器を備える排水装置であって、
排水器は、
流入口を開閉し、排水の逆流を防止する弁体と、
流入口近傍に形成され、弁体が当接する弁座を有する逆止め弁を備え、
弁体は、
流入口近傍に固定される固定部と、
弁座に当接して流入口を常時閉塞し、且つ排水の発生時には弾性変形によって流入口を開放する開閉部を有することを特徴とする排水装置。
【請求項２】
設備機器又は防水パンから流入した排水を下流側へと排出する流入口が形成された排水器を備える排水装置であって、
排水器は、
流入口を開閉し、排水の逆流を防止する弁体と、
流入口近傍に形成され、弁体が当接する弁座を有する逆止め弁を備え、
弁体は、
平面視において弁座よりも内側に固定される固定部と、
弁座に当接して流入口を閉塞し、且つ排水の発生時には弾性変形によって流入口を開放する開閉部を有することを特徴とする排水装置。
【請求項３】
前記排水装置は、
使用により排水が生じる設備機器と、
設備機器が載置された防水パンと、
設備機器及び防水パンから流入した排水を下流側へと排出する排水器から成り、
設備機器は浴槽又は洗濯機であって、
排水器は、
設備機器からの排水が流入する第一流入口と、
防水パンからの排水が流入する第二流入口を有し、
逆止め弁は第二流入口を開閉することを特徴とする請求項１又は請求項２に記載の排水装置。
【請求項４】
前記開閉部は、
外周が第二流入口に向けて傾斜することを特徴とする請求項１乃至請求項３に記載の排水装置。
【請求項５】
前記開閉部は、
外周が第二流入口と対向する方向に向けて傾斜することを特徴とする請求項１乃至請求項３のいずれか１つに記載の排水装置。
【請求項６】
前記第二流入口は複数個所に形成されているとともに、
各第二流入口にそれぞれ弁体が配置されていることを特徴とする請求項３乃至請求項５のいずれか１つに記載の排水装置。
【請求項７】
前記排水器は、
内部に封水を形成する排水トラップであることを特徴とする請求項１乃至請求項６のいずれか１つに記載の排水装置。
【発明の詳細な説明】
【技術分野】
【０００１】
本発明は、浴槽等の設備機器及び当該設備機器が載置された防水パン上に生じた排水を下流側へと排出する排水装置に関するものである。
【背景技術】
【０００２】
従来の排水装置は、設備機器としての浴槽と、当該浴槽が載置された防水パン上に生じた排水を、防水パンの下面に配置された排水器を介して下流側へと排出する構造となっている。浴槽は略箱状の槽体であって、底部に形成された開口に排水栓が取り付けられている。排水栓は内部に排水流路が形成された円筒状であって、浴槽に取り付けられた状態において、浴槽上に生じた排水が排出される排水口を形成している。排水口には排水栓装置の弁が配置されており、浴槽縁部に配置された操作部に押動操作が加えられた際に当該弁が上下動し、排水口を開閉することによって浴槽内に湯水を貯留又は排出することができる。
排水器は設備機器及び防水パンから流入した排水を下流側へと排出する部材であり、流入した排水によって内部に封水を形成するよう構成されている。排水器の上面には蓋部が取り付けられており、当該蓋部には浴槽上の排水が排出される第一流入口と、防水パン上の排水が排出される第二流入口が形成されている。尚、第一流入口には排水栓から連続する配管が接続されており、第二流入口には逆止め弁が取り付けられている。
逆止め弁は比重が水より軽いフロート弁を弁体として備えており、浴槽側から多量の排水が生じる等して排水器内の水位が上昇した際、フロート弁が浮上して第二流入口を閉塞することによって防水パン上への排水の逆流を防止する。
【先行技術文献】
【特許文献】
【０００３】
【特許文献１】特開２０１３−１８１２７５号公報
【発明の概要】
【発明が解決しようとする課題】
【０００４】
近年、バリアフリー化等の理由から低床化が図られている浴室においては、排水装置をできるだけ小型化し、高さ幅を抑えることが求められている。ここで、排水装置を小型化して高さ幅を狭くすると、封水の水面である封水面が相対的に第二流入口へと近づくが、この時、封水面が下降時のフロート下面よりも上方となった場合、フロートが封水によって浮上し、弁座に常に当接した状態となってしまうため、防水パン上に生じた排水を排出することが不可能となってしまう。そのため、従来の排水装置は封水上にフロートの上下動する幅が必要であり、小型化することが困難であった。
又、フロート弁を備える逆止め弁は、当該フロート弁の上下動を補助するガイドが必要となることから、部材点数が増加してしまう。
更に、フロート弁は浮力によって作動する構造であるため、排水中に多量の泡が混入している場合にフロートが正常に作動せず、排水の逆流を防止することができない場合があった。
【０００５】
本発明は上記問題に鑑み、排水装置の小型化や排水装置の低コスト化、安定した逆止め弁の作動を図ることを課題とする。
【課題を解決するための手段】
【０００６】
上記課題を解決するための請求項１に記載の本発明は、設備機器又は防水パンから流入した排水を下流側へと排出する流入口が形成された排水器を備える排水装置であって、
排水器は、
流入口を開閉し、排水の逆流を防止する弁体と、
流入口近傍に形成され、弁体が当接する弁座を有する逆止め弁を備え、
弁体は、
流入口近傍に固定される固定部と、
弁座に当接して流入口を常時閉塞し、且つ排水の発生時には弾性変形によって流入口を開放する開閉部を有することを特徴とする排水装置である。
【０００７】
請求項２に記載の本発明は、設備機器又は防水パンから流入した排水を下流側へと排出する流入口が形成された排水器を備える排水装置であって、
排水器は、
流入口を開閉し、排水の逆流を防止する弁体と、
流入口近傍に形成され、弁体が当接する弁座を有する逆止め弁を備え、
弁体は、
平面視において弁座よりも内側に固定される固定部と、
弁座に当接して流入口を閉塞し、且つ排水の発生時には弾性変形によって流入口を開放する開閉部を有することを特徴とする排水装置である。
【０００８】
請求項３に記載の本発明は、前記排水装置は、
使用により排水が生じる設備機器と、
設備機器が載置された防水パンと、
設備機器及び防水パンから流入した排水を下流側へと排出する排水器から成り、
設備機器は浴槽又は洗濯機であって、
排水器は、
設備機器からの排水が流入する第一流入口と、
防水パンからの排水が流入する第二流入口を有し、
逆止め弁は第二流入口を開閉することを特徴とする請求項１又は請求項２に記載の排水装置である。
【０００９】
請求項４に記載の本発明は、前記開閉部は、
外周が第二流入口に向けて傾斜することを特徴とする請求項１乃至請求項３に記載の排水装置である。
【００１０】
請求項５に記載の本発明は、前記開閉部は、
外周が第二流入口と対向する方向に向けて傾斜することを特徴とする請求項１乃至請求項３のいずれか１つに記載の排水装置である。
【００１１】
請求項６に記載の本発明は、前記第二流入口は複数個所に形成されているとともに、
各第二流入口にそれぞれ弁体が配置されていることを特徴とする請求項３乃至請求項５のいずれか１つに記載の排水装置である。
【００１２】
請求項７に記載の本発明は、前記排水器は、
内部に封水を形成する排水トラップであることを特徴とする請求項１乃至請求項６のいずれか１つに記載の排水装置である。
【発明の効果】
【００１３】
請求項１に記載の本発明によれば、排水装置の小型化を図ることが可能となる。
請求項２に記載の本発明によれば、弁体は平面視において弁座よりも内側に固定部が配置されることから、固定部において水密を維持する必要がない。
請求項３に記載の本発明によれば、排水装置の構造を明確にすることができる。
請求項４及び請求項５に記載の本発明によれば、弁体の形状を明確にすることが可能となる。尚、請求項４のように外周が第二流入口に向けて傾斜した構造であれば、第二流入口の開閉をスムーズに行うことができ、請求項５のように外周が第二流入口と対向する方向に傾斜した構造であれば、開閉部上に埃等が堆積しにくくなる。
請求項６に記載の本発明によれば、第二流入口からの排水流量を増加させることが可能となる。
請求項７に記載の本発明によれば、排水器の構造について明確化することが可能になる。
【図面の簡単な説明】
【００１４】
【図１】第一実施形態の施工状態を示す断面図である。
【図２】エルボ部材近傍を示す断面図である。
【図３】（ａ）エルボ部材近傍を示す平面図、（ｂ）逆止め弁近傍を示す平面図である。
【図４】（ａ）逆止め弁が排水流路を閉塞している状態を示す断面図、（ｂ）逆止め弁が排水流路を開放している状態を示す断面図である。
【図５】第二実施形態の施工状態を示す断面図である。
【図６】排水トラップ近傍を示す断面図である。
【図７】（ａ）排水トラップ近傍を示す平面図、（ｂ）逆止め弁近傍を示す平面図である。
【図８】（ａ）逆止め弁が排水流路を閉塞している状態を示す断面図、（ｂ）逆止め弁が排水流路を開放している状態を示す断面図である。
【図９】第三実施形態のエルボ部材近傍を示す断面図である。
【図１０】（ａ）逆止め弁が排水流路を閉塞している状態を示す断面図、（ｂ）逆止め弁が排水流路を開放している状態を示す断面図である。
【図１１】第四実施形態に係る排水器の、エルボ部材近傍を示す平面図である。
【発明を実施するための形態】
【００１５】
以下、図面を参照しながら本発明の排水装置を説明する。尚、以下に記載する発明は実施形態の理解を容易にするためのものであり、これによって発明が制限して理解されるものではない。
【００１６】
本発明の排水装置は、図１に示すように、洗い場１０１及び浴槽１０２を有する浴室１００に用いられる。浴室１００は大きく分けて上記浴槽１０２の他、防水パン２、排水トラップ３から構成されている。尚、図１においては封水の水面である封水面ＷＬを一点鎖線にて示している。
【００１７】
浴槽１０２は内部に湯水を貯留可能な槽体であって、底部に開口が形成されており、当該開口には排水栓１が取り付けられている。
排水栓１は上部に形成された外鍔部と、外鍔部から下方に向けて延設された筒状の雄螺子を有する中空の円筒状であって、内部に排水流路を有し、浴槽１０２の底部に取り付けられることで排水口１１を形成する。又、排水栓１は浴槽１０２の下面に配置されたナット１２と螺合しており、外鍔部とナット１２によって浴槽１０２底面を挟持することで取り付けられている。
ナット１２は排水栓１と螺合することによって上端が浴槽１０２下面に当接し、浴槽１０２を挟持している。又、ナット１２下端には蛇腹パッキン１３が取り付けられている。
蛇腹パッキン１３はゴム等の弾性材から成り、上端はナット１２に嵌着されているとともに、下端は後述する蓋部５に形成された第一流入口Ａに挿入されている。これにより、蛇腹パッキン１３は排水栓１から連続する排水流路と第一流入口Ａを水密に接続している。
【００１８】
防水パン２は上方に浴槽１０２が載置される浴槽側防水パン２１と、洗い場１０１の床面を形成する洗い場側防水パン２２から構成されている。
浴槽側防水パン２１は浴槽１０２や浴槽側防水パン２１上に生じた排水を排出するためのエルボ部材４が取り付けられる開口が形成されている。
洗い場側防水パン２２は洗い場側防水パン２２上に生じた排水を排出するためのトラップ本体７が取り付けられる開口が形成されている。
【００１９】
排水トラップ３は設備機器及び防水パンから流入した排水を下流側へと排出する排水器であり、浴槽側防水パン２１に取り付けられるエルボ部材４と、洗い場側防水パン２２に取り付けられるトラップ本体７を有している。又、排水トラップ３は設備機器としての浴槽１０２からの排水が流入する第一流入口Ａと、浴槽側防水パン２１からの排水が流入する第二流入口Ｂと、洗い場側防水パン２２からの排水が流入する第三流入口Ｃを備えている。
【００２０】
図２に示すように、エルボ部材４は浴槽側防水パン２１の下方に配置された断面視略Ｌ字形状の配管であり、フランジ部材４１と螺合することによって浴槽側防水パン２１の開口に取り付けられている。又、エルボ部材４は下端においてトラップ本体７と接続されている。
フランジ部材４１は上端に形成された外向きの鍔部と、円筒状の雄螺子を有する中空の筒体であり、浴槽側防水パン２１を介してエルボ部材４が螺合されているとともに、上端に蓋部５が取り付けられている。
蓋部５はフランジ部材４１の上端に取り付けられてフランジ部材４１及びエルボ部材４の上面を覆う蓋体であり、フランジ部材４１に取り付けられた状態において、その上面が浴槽側防水パン２１の底面と略面一となる様に配置されている。又、蓋部５は設備機器としての浴槽１０２からの排水が流入する第一流入口Ａと、浴槽側防水パン２１からの排水が流入する第二流入口Ｂが開口されている。
上記蓋部５は外周にパッキンが嵌着されており、フランジ部材４１の内側面と水密に当接されていることから、浴槽１０２及び浴槽側防水パン２１上に生じた排水は全て、第一流入口Ａ又は第二流入口Ｂからのみ排水器へと流入する。又、第二流入口Ｂには、後述する逆止め弁６の弁体６１が取り付けられる取付部５１が中央に形成されており、後述する弁体６１の固定部６２と略同径の孔が天地方向に穿設されている。ここで、第二流入口Ｂ近傍、即ち第二流入口Ｂ周縁の下面は全周に亘り逆止め弁６と当接しており、弁座５２として機能する。
【００２１】
図３及び図４に示すように、逆止め弁６は弁体６１が弁座５２に当接することによって第二流入口Ｂを閉塞する構造となっており、弁体６１はゴムやシリコン等の弾性を有する軟質材から成る断面視略Ｔ字形状であって、平面視において弁座５２の内側に固定される固定部６２と、固定部６２の周囲に形成された開閉部６３から成るアンブレラ弁である。尚、図３（ａ）は排水トラップ３のエルボ部材４近傍を示す平面図であり、蛇腹パッキン１３等の部材の図示を省略している。又、図３（ｂ）は図３（ａ）における第二流入口Ｂ近傍を拡大した平面図であるが、発明の理解を容易にするため、蓋部５の裏側に形成されている弁座５２をハッチングで示している。
固定部６２は弁体６１の中心において天地方向に延設された棒状であり、その中程において、取付部５１の孔よりも大径の膨出部６４が形成されている。ここで、上述の通り取付部５１に形成された孔は固定部６２と略同径であり、弁体６１が取り付けられた状態において、取付部５１と固定部６２との間は水密状態となっている。一方、固定部６２は弁座５２の内側に配置されていることから、固定部６２の外側において第二流入口Ｂは閉塞されている。従って、必ずしも固定部６２は取付部５１に対して水密状態となるよう取り付けられる必要はない。
開閉部６３は固定部６２の一端から外側に向けて延設された厚さ１ｍｍ以下の軸方向視円形の薄膜であり、図４に示すように、断面視において外周が第二流入口Ｂの弁座５２へと向かうように丸みを帯びつつ傾斜している。尚、開閉部６３は弁体６１が取付部５１に固定された状態において、弁座５２と当接している。
【００２２】
図１に示すように、トラップ本体７は洗い場側防水パン２２の下方に配置された配管であり、フランジ部材７１、本体部７２、防臭筒７３より構成されている。
フランジ部材７１は上端に形成された外向きの鍔部と、円筒状の雄螺子を有する中空の筒体であり、内部に防臭筒７３が挿通されている。又、フランジ部材７１は本体部７２と螺合され、洗い場側防水パン２２に取り付けられた状態において、その上端が洗い場側防水パン２２からの排水が流入する第三流入口Ｃとして機能する。
本体部７２は上方が開放されているとともに内側に雌螺子が形成されており、洗い場側防水パン２２を介してフランジ部材７１の雄螺子と螺合されることで洗い場側防水パン２２に取り付けられている。又、本体部７２は底面より上方に向けて封水壁７４が立設されているとともに、側面には枝管流入口７５と排出口７６が形成されている。尚、枝管流入口７５にはエルボ部材４が接続されており、排出口７６には更に下流側の配管（図示せず）が接続されている。
防臭筒７３はフランジ部材７１に取り付けられた筒状部材であり、その下端は封水壁７４の上端よりも下方であって、トラップ本体７の底面よりも上方となる位置に配置されている。
【００２３】
ここで、排水器である上記排水トラップ３はエルボ部材４から封水壁７４までの排水流路、及び、防臭筒７３から封水壁７４までの排水流路が排水によって満たされることによって、封水を形成している。これにより、排水トラップ３は下流側からの臭気や害虫が屋内へと逆流することを防止している。又、図４に示すように、排水トラップ３の封水面ＷＬは弁体６１の下端と略同一高さとなっている。
【００２４】
以下に、上記本発明の排水装置の逆止め弁６の動作について説明する。
【００２５】
まず、図４（ａ）に示すように、浴槽側防水パン２１上に排水等がなく、且つ下流側からの排水の逆流も生じていない状態において、弁体６１は自身の弾性によって開閉部６３が弁座５２に対して全周に亘り接触することで排水流路を常時閉塞している。尚、固定部６２が取付部５１に固定されていることより、弁体６１の中心と第二流入口Ｂの中心は合致しており、開閉部６３は自身の弾性によって弁座５２に向けて均等に応力が加えられている。従って、開閉部６３は自身の弾性を付勢手段として、弁座５２と全周に亘って接触しており、特定の箇所に応力が集中することなく安定して排水流路を常時閉塞している。又、弁体６１は第二流入口Ｂの内側に形成された取付部５１に固定されおり、開閉部６３は第二流入口Ｂの外縁を弁座５２としていることから、開閉部６３によって第二流入口Ｂの外周は全周に亘り覆われている。従って、本実施形態においては固定部６２と取付部５１との間の止水は考慮する必要がなく、固定部６２と取付部５１の間から排水が逆流する恐れはない。
ここで、浴槽側防水パン２１上に排水等が生じると、図４（ｂ）に示すように、第二流入口Ｂへと流入した排水等は弁体６１の開閉部６３に応力を加え、当該開閉部６３を下流側に向けて弾性変形させる。当該弾性変形によって開閉部６３は弁座５２から離間し、排水流路が開放されることで排水等は排水器である排水トラップ３内へと流入する。尚、浴槽側防水パン２１上の排水等が全て排出されると、弁体６１は自身の弾性によって復元し、開閉部６３が再び全周に亘り弁座５２に接触することで第二流入口Ｂが閉塞される。
一方、浴槽１０２や洗い場１０１から大量の排水が排出された際等、排水トラップ３内の水面が封水面ＷＬよりも上昇し、下流側からの逆流が生じた場合、弁体６１には開閉部６３が弁座５２に押し付けられる方向に応力が加わることから、排水流路の閉塞が維持され、浴槽側防水パン２１側への排水等の逆流が防止される。又、逆止め弁６は上流側から排水等が生じていない平時において第二流入口Ｂを常時閉塞していることから、浴槽１０２からの排水中に多量の泡が混入していたとしても、浴槽側防水パン２１上に泡が逆流することはない。
【００２６】
次に、図５乃至図８を用いて本発明の第二実施形態について説明する。
尚、本発明の排水装置は、図５に示すように、設備機器としての洗濯機８と、防水パン２としての洗濯機用防水パン８１と、排水器としての排水トラップ３から構成されている。
【００２７】
洗濯機用防水パン８１は、洗濯機８が載置される架台が四隅に形成された防水パン２であり、底面には排水トラップ３が取り付けられる開口が形成されている。
【００２８】
図６に示すように、排水トラップ３は、フランジ部材９、トラップ本体７、蓋部５、防臭椀９１、防臭筒９２より構成されており、フランジ部材９とトラップ本体７が螺合されることによって上記洗濯機用防水パン８１の底面に形成された開口に取り付けられている。
フランジ部材９は上端に形成された外向きの鍔部と、円筒状の雄螺子を有する中空の筒体であり、内側下端に防臭椀９１及び防臭筒９２が配置されているとともに、内側上端に蓋部５が取り付けられている。
トラップ本体７は内側に雌螺子が形成されているとともに、側面に排出口７６が形成されている。
蓋部５はフランジ部材９上端に取り付けられて排水トラップ３を覆う蓋状体であり、フランジ部材９に取り付けられた際に上面が洗濯機用防水パン８１の底面と面一となるように形成されている。又、蓋部５の上面には、洗濯機８からの排水が流入する第一流入口Ａと、洗濯機用防水パン８１からの排水が流入する第二流入口Ｂが開口されている。尚、第一流入口Ａには断面視略Ｌ字状の配管が接続されており、洗濯機８から連続するホース（図示せず）と接続されている。又、第二流入口Ｂの中央には、逆止め弁６の弁体６１が取り付けられる取付部５１が形成されている。取付部５１は第二流入口Ｂの中央に形成されており、後述する弁体６１の固定部６２と略同径の孔が天地方向に穿設されている。ここで、第二流入口Ｂ近傍、即ち第二流入口Ｂ周縁の下面は全周に亘り逆止め弁６と当接しており、弁座５２として機能する。
【００２９】
図７及び図８に示すように、逆止め弁６は弁体６１が弁座５２に当接することによって第二流入口Ｂを閉塞する構造となっており、弁体６１はゴムやシリコン等の弾性を有する軟質材から成る断面視略Ｔ字形状であって、平面視において弁座５２の内側に固定される固定部６２と、固定部６２の周囲に形成された開閉部６３から成るアンブレラ弁である。尚、図７（ａ）は排水トラップ３近傍を示す平面図であり、洗濯機８からの配管等の図示を省略している。又、図７（ｂ）は図７（ａ）における第二流入口Ｂ近傍を拡大した平面図であるが、発明の理解を容易にするため、蓋部５の裏側に形成されている弁座５２をハッチングで示している。
固定部６２は弁体６１の中心において天地方向に延設された棒状であり、その中程において、取付部５１の孔よりも大径の膨出部６４が形成されている。ここで、上述の通り取付部５１に形成された孔は固定部６２と略同径であり、弁体６１が取り付けられた状態において、取付部５１と固定部６２との間は水密状態となっている。一方、固定部６２は弁座５２の内側に配置されていることから、固定部６２の外側において第二流入口Ｂは閉塞されている。従って、必ずしも固定部６２は取付部５１に対して水密状態となるよう取り付けられる必要はない。
開閉部６３は固定部６２の一端から外側に向けて延設された厚さ１ｍｍ以下の軸方向視円形の薄膜であり、図８に示すように、断面視において外周が第二流入口Ｂの弁座５２へと向かうように丸みを帯びつつ傾斜している。尚、開閉部６３は弁体６１が取付部５１に固定された状態において、弁座５２と当接している。
【００３０】
防臭椀９１は縁部がフランジ部材９に係止された椀状部材であり、側面に形成された開口下端まで排水等を貯留可能である。
防臭筒９２はフランジ部材９に取り付けられた筒状部材であり、その下端は防臭椀９１側方に形成された開口の下端よりも下方であって、防臭椀９１底面よりも上方となる位置に配置されている。
【００３１】
ここで、排水器である上記排水トラップ３は防臭椀９１の内部に防臭筒９２が挿通されていることによって、排水流路の一部が排水等で満たされて封水を形成している。これにより、排水トラップ３は下流側からの臭気や害虫が屋内へと逆流することを防止している。
【００３２】
以下に、上記本発明の排水装置の逆止め弁６の動作について説明する。
【００３３】
まず、図８（ａ）に示すように、洗濯機用防水パン８１上に排水等がなく、且つ下流側からの排水の逆流も生じていない状態において、弁体６１は自身の弾性によって開閉部６３が弁座５２に対して全周に亘り接触することで排水流路を常時閉塞している。尚、固定部６２が取付部５１に固定されていることより、弁体６１の中心と第二流入口Ｂの中心は合致しており、開閉部６３は自身の弾性によって弁座５２に向けて均等に応力が加えられている。従って、開閉部６３は自身の弾性を付勢手段として、弁座５２と全周に亘って接触しており、特定の箇所に応力が集中することなく安定して排水流路を常時閉塞している。又、弁体６１は第二流入口Ｂの内側に形成された取付部５１に固定されおり、開閉部６３は第二流入口Ｂの外縁を弁座５２としていることから、開閉部６３によって第二流入口Ｂの外周は全周に亘り覆われている。従って、本実施形態においては固定部６２と取付部５１との間の止水は考慮する必要がなく、固定部６２と取付部５１の間から排水が逆流する恐れはない。
ここで、洗濯機用防水パン８１上に排水等が生じると、図８（ｂ）に示すように、第二流入口Ｂへと流入した排水等は弁体６１の開閉部６３に応力を加え、当該開閉部６３を下流側に向けて弾性変形させる。これにより、開閉部６３は弁座５２から離間し、排水流路が開放されることで排水等は排水器である排水トラップ３内へと流入する。尚、洗濯機用防水パン８１上の排水等が全て排出されると、弁体６１は自身の弾性によって復元し、開閉部６３が再び全周に亘り弁座５２に接触することで第二流入口Ｂが閉塞される。
一方、洗濯機８から大量の排水が排出された際等、排水トラップ３の水面が上昇し、下流側からの逆流が生じた場合、弁体６１には開閉部６３が弁座５２に押し付けられる方向に応力が加わることから、排水流路の閉塞が維持され、洗濯機用防水パン８１側への排水等の逆流が防止される。又、逆止め弁６は平時において第二流入口Ｂを常時閉塞していることから、洗濯機８からの排水中に多量の泡が混入していたとしても、洗濯機用防水パン８１上に泡が逆流することはない。
【００３４】
上記本発明の排水装置は、逆止め弁６の弁体６１を、流入口近傍に固定される固定部６２と流入口を常時閉塞するとともに排水発生時には弾性変形によって流入口を開放する開閉部６３を有するアンブレラ弁とすることにより、従来のフロート弁を利用した逆止め弁と比較して、装置の全高を抑えることが可能となる。即ち、アンブレラ弁は従来のフロート弁を用いた逆止め弁のように、フロートが上下に範囲するためのスペースを必要としないことから、装置を小型化することが可能となる。又、これによって本発明は排水トラップ３の厚みを抑え、装置を小型化することが可能となる。
又、本発明においては、弁体６１はアンブレラ弁であるため、従来のフロート弁のように、第二流入口Ｂの開閉の際に弁体の変位を誘導するガイド部を必要としない。従って、従来の排水装置に比べ、部品点数を削減することによって装置を安価に提供することが可能となる。
更に、本発明において、逆止め弁６は上流からの排水が生じていない状態であっても第二流入口Ｂを常時閉塞するように構成されている。従って、排水中に多量の泡が混入していたとしても安定して逆流を防止することが可能となる。
【００３５】
本発明の各実施形態は以上であるが、本発明の排水装置は、発明の要旨を逸脱しない範囲において種々の設計変更が可能である。
例えば、上記第一実施形態及び第二実施形態において、弁体６１の開閉部６３は、その外周が第二流入口Ｂに向けて傾斜するように構成されていたが、図９及び図１０に示す第三実施形態のように、開閉部６３の外周が第二流入口Ｂと対向する方向に向けて傾斜する様に構成されても良い。尚、開閉部６３の傾斜方向については、弁体６１の成形時において外周が第二流入口Ｂ又は第二流入口Ｂと対向する方向に向けて傾斜するように構成しても良く、取付部５１に取り付けられた際に傾斜するように構成しても良い。このように構成することによって、開閉部６３上に誇り等が溜まった際に排水時に流れやすくなる等の効果を奏する。
又、各実施形態において、第二流入口Ｂは一箇所のみ形成されていたが、図１１に示す第四実施形態のように、流量の増加等を目的として二箇所以上設けても良い。又、第四実施形態においては、各第二流入口Ｂにそれぞれ弁体６１を取り付けられている。
又、各実施形態において、排水器は全て排水トラップであったが、本発明の排水装置において、排水器は必ずしも封水を備えている必要はない。
又、各実施形態において、固定部は一個所であったが、二箇所以上形成されていても良い。尚、当該固定部について、必ずしも弁体の中央に形成されている必要はなく、中央以外の箇所から延設されていても良い。
又、各実施形態において、弁体の開閉部は平面視円形であったが、平面視四角形や三角形等、円形以外の形状であっても良い。
【符号の説明】
【００３６】
１              排水栓
１１            排水口
１２            ナット
１３            蛇腹パッキン
２              防水パン
２１            浴槽側防水パン
２２            洗い場側防水パン
３              排水トラップ（排水器）
４              エルボ部材
４１            フランジ部材
５              蓋部
５１            取付部
５２            弁座
６              逆止め弁
６１            弁体
６２            固定部
６３            開閉部
６４            膨出部
７              トラップ本体
７１            フランジ部材
７２            本体部
７３            防臭筒
７４            封水壁
７５            枝管流入口
７６            排出口
８              洗濯機
８１            洗濯機用防水パン
９              フランジ部材
９１            防臭椀
９２            防臭筒
１００          浴室
１０１          洗い場
１０２          浴槽
Ａ              第一流入口
Ｂ              第二流入口
Ｃ              第三流入口
ＷＬ            封水面
【図１】
2020169494.tif 000003
【図２】
2020169494.tif 000004
【図３】
2020169494.tif 000005
【図４】
2020169494.tif 000006
【図５】
2020169494.tif 000007
【図６】
2020169494.tif 000008
【図７】
2020169494.tif 000009
【図８】
2020169494.tif 000010
【図９】
2020169494.tif 000011
【図１０】
2020169494.tif 000012
【図１１】
2020169494.tif 000013